(57)【要約】      （修正有）【課題】使用者自らが磁気の調整を行うことができ、凝りのある部分に強い磁気を集中させることができる磁気装身具を提供する。【解決手段】紐状部材２０に複数個の装飾体１０を連設して磁気装身具を設ける。装飾体１０を磁石と被覆体とで構成する。磁石に紐状部材２０を貫通する貫通孔を設ける。貫通孔の一端側をＮ極とし貫通孔の他端側をＳ極とする。カーボン又はチタンにて被覆体を形成する。被覆体で磁石の貫通孔に沿った周側面を覆う。紐状部材２０に複数個の装飾体１０をスライド自在に連設する。隣接する装飾体１０の相対向した磁極が同極になるように配置する。【選択図】図１
0003207080.tif 000002
【実用新案登録請求の範囲】
【請求項１】
磁石にて形成された装飾体が紐状部材に連設された磁気装身具において、装飾体は、紐状部材を貫通せしめる貫通孔を備えた磁石と、
該貫通孔の一端側をＮ極とし貫通孔の他端側をＳ極とした磁石の外側面を覆うカーボン又はチタンから成る被覆体とを備え、
隣接する装飾体の相対向した磁極が同極になるように配置して紐状部材にスライド自在に連設したことを特徴とする磁気装身具。
【請求項２】
磁石は筒状のネオジウム磁石とし、該磁石の周側面を覆うカーボン又はチタン製の被覆体と、磁石の開口両端部の外周囲を保護するチタン製の端部保護体とを設け、隣接する装飾体の端部保護体相互が当接するように構成した請求項１記載の磁気装身具。
【請求項３】
前記紐状部材に固定する位置調整体を設け、前記紐状部材に連設した前記装飾体の位置を位置調整体にて固定するように構成した請求項１記載の磁気装身具。
【請求項４】
前記位置調整体は、前記磁石の前記貫通孔に嵌入する嵌入部と前記紐状部材を挿通する貫通孔とを備え、前記紐状部材に連設した前記装飾体の位置を位置調整体にて固定するように構成した請求項３記載の磁気装身具。
【考案の詳細な説明】
【技術分野】
【０００１】
本考案は、永久磁石により形成された装飾体を一連に連結した磁気装身具に係り、特に使用者自らが磁気の調整を行うことができる磁気装身具に関するものである。
【背景技術】
【０００２】
磁石の磁気作用は、人体における血行の促進や痛みの解消などに有効であることが知られている。そのため、磁石を装身具に組み込んだ各種の磁気装身具が提案されている。
【０００３】
特許文献１に記載の磁気装身具は、同極同士を合わせて接合した２個の磁石を１個の装飾体として使用するものである。すなわち、２個の磁石の同極が接するように配置し、プラスチック又は非化性の金属、アルミニウム、ニッケルなどで２個の磁石を覆って固定しあるいは接着剤で接着し、又はボルトナット等で固着する構成である。
【０００４】
このような磁気装身具によると、同極が接する部分において磁気が最も強くなり、この磁気装身具を着用する者は、２個の磁石の同極が接する部分から使用者側に向いた強力な磁気を受けることになるというものである。
【先行技術文献】
【特許文献】
【０００５】
【特許文献１】実用新案登録第３１７０３４３号公報
【考案の開示】
【考案が解決しようとする課題】
【０００６】
磁気装身具を使用する者の中には、通常の装身具のように使用して、首回り全体に磁気の作用による血流促進効果を期待する者や、凝りのある部分に強い磁気を集中させて痛みの解消を期待する者もいる。
【０００７】
ところが、特許文献１の磁気装身具のように、２個を１個に接合した磁石を装身具の装飾体として使用した場合、複数の装飾体を装身具に連設すると、磁気の強い箇所と弱い箇所に常に大きな差が生じることになり、磁気の強度を任意に調整することはできない。
【０００８】
すなわち、この装飾体の中央部分は常に強い磁気になっている一方で、装飾体の両端部分はプラスチック等のカバーによって被覆されているので、このカバーが妨げになって同極が直に接することはない。そのため、隣接する装飾体が同極で接するように近づけたとしても、装飾体端部の磁気を任意に調整することはできない。
【０００９】
一方、中央部分の磁気が強く、端部の磁気が弱い装飾体を連続してつなげると、装身具全体の中で、各装飾体の中央部分に他の装飾体の中央部分が磁着し易い状態になってしまう。そのため、隣接する装飾体相互のバランスが崩れやすく、装身具の形状を保ち難くなる虞もある。
【００１０】
そこで本考案は、上述の課題を解消すべく案出されたもので、使用者自らが磁気の強さを調整することができ、しかも、首回り全体の磁気の作用による血流促進効果も期待できる磁気装身具の提供を目的とするものである。
【課題を解決するための手段】
【００１１】
上述の目的を達成すべく本考案の第１の手段は、磁石にて形成された装飾体１０が紐状部材２０に連設された磁気装身具において、装飾体１０は、紐状部材２０を貫通せしめる貫通孔１１Ａを備えた磁石１１と、該貫通孔１１Ａの一端側をＮ極とし貫通孔１１Ａの他端側をＳ極とした磁石１１の外側面を覆うカーボン又はチタンから成る被覆体１２とを備え、隣接する装飾体１０の相対向した磁極が同極になるように配置して紐状部材２０にスライド自在に連設したことにある。
【００１２】
第２の手段において、磁石１１は筒状のネオジウム磁石とし、該磁石１１の周側面を覆うカーボン又はチタン製の被覆体１２と、磁石１１の開口両端部の外周囲を保護するチタン製の端部保護体１３とを設け、隣接する装飾体１０の端部保護体１３相互が当接するように構成している。
【００１３】
第３の手段は、前記紐状部材２０に固定する位置調整体３０を設け、前記紐状部材２０に連設した前記装飾体１０の位置を位置調整体３０にて固定するように構成したものである。
【００１４】
第４の手段において、前記位置調整体３０は、前記磁石１１の前記貫通孔１１Ａに嵌入する嵌入部３１と前記紐状部材２０を挿通する貫通孔３２とを備え、前記紐状部材２０に連設した前記装飾体１０の位置を位置調整体３０にて固定するように構成したものである。
【考案の効果】
【００１５】
本考案の請求項１によると、紐状部材２０に複数個の装飾体１０をスライド自在に連設すると共に、隣接する装飾体１０の相対向した磁極が同極になるように配置したことにより、複数の装飾体１０に紐状部材２０を挿通すると、隣接する装飾体１０の磁石１１の反発力にて装飾体１０が一定間隔に並んだ状態になる。この状態では、各装飾体１０の磁気が均等に保たれるので、首回りのツボに対して平均的な磁気の作用を期待することができる。
【００１６】
また、隣接する装飾体１０の間隔を狭めると、同じ磁極が対向しているので、磁気の強度を高めることができる。したがって、使用者は自らの手で各装飾体１０の磁気の強弱を調整することが可能になり、凝りのある部分に強い磁気を集中させて痛みの解消を期待することができる。
【００１７】
請求項２のごとく、磁石１１は筒状のネオジウム磁石とし、該磁石１１の周側面を覆うカーボン又はチタン製の被覆体１２と、磁石１１の開口両端部の外周囲を保護するチタン製の端部保護体１３とを設け、隣接する装飾体１０の端部保護体１３相互が当接するように構成したことで、磁石１１全体を軽量なカーボン又はチタン製の被覆体１２が保護することができる。しかも、磁気の強い磁石１１の同極相互を強制的に接合した場合でも、この磁石１１の開口両端部をチタン製の端部保護体１３が保護しているので、磁石１１の破損を防止することができる。
【００１８】
請求項３のように、紐状部材２０に固定する位置調整体３０を設け、紐状部材２０に連設した装飾体１０の位置を位置調整体３０にて固定するように構成したことで、任意の位置に装飾体１０を集めて磁気の強度を高めることができる。この結果、使用者自らが高めた磁気を凝りのある部分にあてることが可能になる。
【００１９】
請求項４のように、位置調整体３０は、前記磁石１１の前記貫通孔１１Ａに嵌入する嵌入部３１と前記紐状部材２０を挿通する貫通孔３２とを備えているので、位置調整体３０の形状が装飾体１０の形状に似せることが可能になる。したがって、位置調整体３０がいたずらに目立つ虞がなくなり、外観上、好適な使用が可能になる。
【図面の簡単な説明】
【００２０】
【図１】本考案装身具の一実施例を示す正面図である。
【図２】本考案の装飾体の一実施例を示す側断面図である。
【図３】図２に示す矢視III-III線断面図である。
【図４】本考案の位置調整体を示す斜視図である。
【図５】本考案の位置調整体にて集められた装飾体を示す正面図である。
【図６】装飾体による反発磁気線による磁界を示し、（イ）は反発力で離れた状態を示し、（ロ）は同極を近づけて反発力を高めた状態を示す概念図である。
【考案を実施するための形態】
【００２１】
本考案によると、使用者自らが磁気の強さを調整することができると共に、首回りに対する平均的な磁気の作用が得られるなどといった当初の目的を達成した。
【００２２】
以下、本考案の実施例を説明する。本考案は複数個の装飾体１０が紐状部材２０に連設された磁気装身具に関するものである（図１参照）。本考案において、装身具とは、ネックレス、ブレスレット、指輪、イヤリング、ピアスを含むものである。
そして、本考案の装飾体１０は、磁石１１とこの磁石１１を被覆するカバー部１２とで構成している（図２参照）。
【００２３】
磁石１１は、ネオジウム磁石を使用し、紐状部材２０を貫通する貫通孔１１Ａを開穿している（図２参照）。そして、この貫通孔１１Ａの一端側をＮ極とし、貫通孔１１Ａの他端側をＳ極とする。図示の磁石１１は円柱形状を成しているが、この形状は任意に変更することが可能である（図３参照）。
【００２４】
被覆体１２は、カーボン又はチタンを使用し、磁石１１の貫通孔１１Ａに沿った周側面を覆う被覆部材である（図２参照）。図示例では、貫通孔１１Ａの開口端部側を保護する端部保護体１３を設けている。この端部保護体１３は、チタンを使用した環状部材で、隣接する装飾体１０相互を接合した場合に、この端部保護体１３相互が当接するように構成している。尚、この端部保護体１３を使用せず、被覆体１２のみで磁石１１の開口両端部の外周囲を保護することも可能である。
【００２５】
そして、紐状部材２０に複数個の装飾体１０をスライド自在に連設する。このとき、隣接する装飾体１０の相対向した磁極が同極になるように配置する。このような配置によると、隣接する装飾体１０は相互に反発して一定の距離を保つようになる。そのため、この状態で本考案装身具を着用すると、紐状部材２０にスライド自在に装着した各装飾体１０が、一定間隔に並んだ状態になる（図１参照）。
【００２６】
更に、この装飾体１０を１箇所に固定する位置調整体３０を使用することが可能である（図４参照）。この位置調整体３０は、紐状部材２０に固定する部材で、紐状部材２０に連設した装飾体１０の位置を任意の位置に固定する（図１参照）。図示の位置調整体３０は、磁石１１の貫通孔１１Ａに嵌入する嵌入部３１と、紐状部材２０を貫通する貫通孔３２とを備えたものである（図４参照）。
【００２７】
そして、この位置調整体３０を紐状部材２０の任意の位置に装着しておき、１箇所に集めた装飾体１０の両端部分の貫通孔１１Ａに位置調整体３０の固定部２１を挿入して位置調整体３０の位置を固定する（図５参照）。この位置調整体３０は紐状部材２０に固定できるものであれば例えばクリップ状の構成でも良く、位置調整体３０の構成を任意に変更することができる。
【００２８】
本考案を使用するには、まず、通常の装身具のように首回りに着用すると、各装飾体１０が同極の反発力で等間隔に離れた状態で装着される（図１、図６（イ）参照）。この状態では、首回り全体に磁気の作用による血流促進効果を期待することができる。
【００２９】
一方、装飾体１０の磁気を調整する場合は、複数の装飾体１０を集めることで調整する（図５、図６（ロ）参照）。例えば、数個の装飾体１０を集めると、隣接する磁石１１の同極が当接する位置で磁気が増幅される。そのため、磁気装身具を着用すると、装飾体１０の磁石１１か接する部分から使用者側に向いた強力な磁気を受けるようになる。
【００３０】
磁気の強さは、集める装飾体１０の数や隣接する装飾体１０の間隔によって調整できるので、使用者は、磁気の強さを任意に設定することができる。また、装飾体１０を集める位置も１箇所に限らず、複数箇所で装飾体１０を集めることも可能である。このように、使用者自らが磁気の調整を行い、凝りのある部分に強い磁気を集中させることができる。
【００３１】
尚、本考案は図示例に限られるものではなく、装飾体１０や紐状部材２０、あるいは位置調整体３０の各構成部材の寸法、材質、及び被装着物等は任意に変更することが可能である。
【符号の説明】
【００３２】
１０  装飾体
１１  磁石
１１Ａ  貫通孔
１２  被覆体
２０  紐状部材
３０  位置調整体
３１  嵌入部
３２  貫通孔
【図１】
0003207080.tif 000003
【図２】
0003207080.tif 000004
【図３】
0003207080.tif 000005
【図４】
0003207080.tif 000006
【図５】
0003207080.tif 000007
【図６】
0003207080.tif 000008